(57)【要約】【課題】い草の消臭効果を好適に発揮させることができるい草入り消臭器を提供する。【解決手段】い草入り消臭器１０は、筒状の収容容器１２を備えている。収容容器１２は、外筒体１７及び内筒体１８からなる筒部１３と、筒部１３の端部を塞ぐ下蓋部１４及び上蓋部１５とから構成されている。い草１１は収容容器１２の軸線方向に延びる向きで多数収容されている。筒部１３の筒壁には、開口部２１が前記軸線を挟んで一対形成されており、空気が開口部２１を通じて筒部１３内を通り抜けることによりい草１１に触れる。また、外筒体１７を内筒体１８に対し回転させることにより、開口部２１の開口面積を調整することができる。【選択図】      図１
2015134048.tif 000002
【特許請求の範囲】
【請求項１】
い草の消臭作用を利用して消臭を行うい草入り消臭器であって、
前記い草を収容した筒状の収容容器を備え、
前記い草は、前記収容容器の軸線方向に延びる向きで多数収容されており、
前記収容容器の筒壁には、当該容器の内外を連通する複数の開口部が形成されていることを特徴とするい草入り消臭器。
【請求項２】
前記複数の開口部のうち少なくともいずれかの開口部は、その正面視にて当該開口部から前記い草が露出するように形成されていることを特徴とする請求項１に記載のい草入り消臭器。
【請求項３】
前記複数の開口部は、前記い草を挟んで対向配置されていることを特徴とする請求項１又は２に記載のい草入り消臭器。
【請求項４】
前記い草は、前記複数の開口部を前記軸線方向に跨いだ状態で前記収容容器内に収容されていることを特徴とする請求項１乃至３のいずれか一項に記載のい草入り消臭器。
【請求項５】
前記各開口部はそれぞれ、前記収容容器の軸線方向に延びる長孔形状を有していることを特徴とする請求項１乃至４のいずれか一項に記載のい草入り消臭器。
【請求項６】
前記各開口部はそれぞれ、その正面視において、前記軸線方向と直交する方向の長さが前記収容容器における同方向の長さの半分以上とされていることを特徴とする請求項５に記載のい草入り消臭器。
【請求項７】
前記筒壁は、内外二重に配置され互いに円筒状をなす外筒体及び内筒体からなり、
前記開口部は、前記外筒体に形成された外側開口部と、前記内筒体に形成された内側開口部とが前記筒壁の厚み方向に重複する重複領域により形成されており、
前記外筒体は、前記内筒体の外周面に沿って回転可能とされており、
前記外筒体を前記内筒体に対して回転させることで、前記重複領域の面積が調整されることを特徴とする請求項１乃至６のいずれか一項に記載のい草入り消臭器。
【請求項８】
前記収容容器は、前記筒壁を構成する筒体と、その筒体の端部開口を塞ぐ蓋部とを有しており、
前記蓋部には、前記収容容器の内外を連通する蓋開口部が形成されているとともに、その蓋開口部からのい草の抜け落ちを抑制可能な大きさでありかつ通気性を確保可能な大きさである通気孔が形成された通気部によって、前記蓋開口部が塞がれていることを特徴とする請求項１乃至７のいずれか一項に記載のい草入り消臭器。
【発明の詳細な説明】
【技術分野】
【０００１】
本発明は、い草入り消臭器に関する。
【背景技術】
【０００２】
従来より、トイレや玄関等の室内の臭いを消す消臭器が用いられている。この種の消臭器としては、容器内にゲル状やゾル状、液状とされた消臭剤を入れたものがよく用いられる（例えば特許文献１参照）。かかる消臭器では、例えば容器内の底部に消臭剤が設けられており、その消臭剤が蒸散して容器上部の壁部等に設けられた開口より容器外に放散されるようになっている。そして、その放散された消臭剤の消臭作用によって室内の臭いが除去されるものとなっている。
【先行技術文献】
【特許文献】
【０００３】
【特許文献１】特開２００２−３４５９３９号公報
【発明の概要】
【発明が解決しようとする課題】
【０００４】
ところで、畳表やござ等の材料として用いられるい草には消臭作用があることが知られている。い草は自然素材であるため、化学物質からなる上記の消臭剤と比べて体に優しい、環境に優しいといった利点がある。かかる利点に着目し、本発明者は、い草を容器に入れて消臭器（い草入り消臭器）として用いてはどうかと考えた。しかしながら、単にい草を容器に入れるだけでは、い草の消臭効果を好適に発揮させられないことが判明した。
【０００５】
本発明は、上記事情に鑑みてなされたものであり、い草の消臭効果を好適に発揮させることができるい草入り消臭器を提供することを主たる目的とするものである。
【課題を解決するための手段】
【０００６】
本発明は、い草が液状等の消臭剤のように蒸散してその消臭作用を発揮するものではなく、臭いの元となる成分を吸着する等して消臭作用を発揮するものであることに着目し、更にはい草の形状を上手く活用すべく、試行錯誤した上で完成されたものである。
【０００７】
すなわち、第１の発明のい草入り消臭器は、い草の消臭作用を利用して消臭を行うい草入り消臭器であって、前記い草を収容した筒状の収容容器を備え、前記い草は、前記収容容器の軸線方向に延びる向きで多数収容されており、前記収容容器の筒壁には、当該容器の内外を連通する複数の開口部が形成されていることを特徴とする。
【０００８】
本発明によれば、収容容器に複数の開口部が形成されているため、それら複数の開口部のうちいずれかの開口部を通じて収容容器内に消臭対象となる空気（例えば室内の空気）が取り込まれ、その取り込まれた空気がその他の開口部を通じて収容容器の外部に排出される。つまり、この場合、収容容器内を消臭対象の空気が各開口部を通じて通過することになる。また、収容容器内には、い草が当該容器の軸線方向に延びる向きで収容され、その収容容器の筒壁に上記複数の開口部が形成されているため、各開口部を通じて収容容器内を通過する空気（通過空気）をい草の近くを通して流すことが可能となる。これにより、その通過空気をい草に触れ易くすることができるため、い草による消臭効果を好適に発揮させることができる。い草の香りは癒やし効果やリラックス効果があるため、上記の消臭効果に加えてこれらの効果を得ることができる利点もある。
【０００９】
第２の発明のい草入り消臭器は、第１の発明において、前記複数の開口部のうち少なくともいずれかの開口部は、その正面視にて当該開口部から前記い草が露出するように形成されていることを特徴とする。
【００１０】
本発明によれば、複数の開口部のうち少なくともいずれかの開口部については、その正面視においてい草が露出するように形成されているため、その開口部を通じて収容容器を出入りする通過空気は確実にい草の近くを流れることになる。これにより、通過空気をい草に対してより触れ易くすることができるため、い草による消臭効果をより好適に発揮させることができる。また、い草が上記の開口部を通じて収容容器の外に露出していることから、い草の香りによる癒やし効果等に加え、い草による視覚的な癒やし効果等も得ることができる。
【００１１】
第３の発明のい草入り消臭器は、第１又は第２の発明において、前記複数の開口部は、前記い草を挟んで対向配置されていることを特徴とする。
【００１２】
本発明によれば、複数の開口部がい草を挟んで対向配置されているため、それら複数の開口部を通じて収容容器内を通過する通過空気をより確実にい草の近くを通して流すことが可能となる。これにより、通過空気をい草に対してより一層触れ易くすることができるため、い草による消臭効果をより一層好適に発揮させることができる。
【００１３】
第４の発明のい草入り消臭器は、第１乃至第３のいずれかの発明において、前記い草は、前記複数の開口部を前記軸線方向に跨いだ状態で前記収容容器内に収容されていることを特徴とする。
【００１４】
本発明によれば、い草が収容容器内において複数の開口部を当該容器の軸線方向に跨いだ状態で設けられているため、容器の軸線方向両端部でい草を支えることが可能であり、い草が開口部を通じて収容容器の外に出てしまうのを抑制しながら、上記第１の発明の効果を得ることができる。
【００１５】
第５の発明のい草入り消臭器は、第１乃至第４のいずれかの発明において、前記各開口部はそれぞれ、前記収容容器の軸線方向に延びる長孔形状を有していることを特徴とする。
【００１６】
本発明によれば、開口部が収容容器の軸線方向に延びる長孔形状を有しているため、収容容器内における軸線方向の比較的広範囲に亘って通過空気を通過させることができる。ここで、い草は収容容器内において軸線方向に延びる向きで収容されているため、この場合、通過空気をい草の長さ方向の大部分に触れさせることが可能となる。そのため、い草による消臭効果を高めることができる。
【００１７】
第６の発明のい草入り消臭器は、第５の発明において、前記各開口部はそれぞれ、その正面視において、前記軸線方向と直交する方向の長さが前記収容容器における同方向の長さの半分以上とされていることを特徴とする。
【００１８】
本発明によれば、上記第５の発明の構成において、各開口部がそれぞれ、その正面視において、軸線方向と直交する方向の長さ（換言すると開口幅）が収容容器の同方向の長さ（換言すると収容容器の幅）の半分以上とされている。この場合、収容容器内において軸線方向の広範囲に亘って通過空気を通過させることができるのに加え、幅方向の比較的広範囲に亘って通過空気を通過させることができる。これにより、通過空気をい草の長さ方向の大部分に触れさせることができるとともに、収容容器内で幅方向に並ぶ多数のい草に対して触れさせることができるため、い草の消臭効果をより一層高めることができる。
【００１９】
第７の発明のい草入り消臭器は、第１乃至第６のいずれかの発明において、前記筒壁は、内外二重に配置され互いに円筒状をなす外筒体及び内筒体からなり、前記開口部は、前記外筒体に形成された外側開口部と、前記内筒体に形成された内側開口部とが前記筒壁の厚み方向に重複する重複領域により形成されており、前記外筒体は、前記内筒体の外周面に沿って回転可能とされており、前記外筒体を前記内筒体に対して回転させることで、前記重複領域の面積が調整されることを特徴とする。
【００２０】
本発明によれば、外筒体を内筒体に対して回転させるといった簡単な操作で開口部の開口面積を調整することができるため、開口部を通じて収容容器の外部へ放散されるい草の香りの強さ（量）を簡単に調整することができる。また、収容容器を紙により形成する場合には、二重の筒体とすることで、ある程度の強度を確保することができる利点もある。
【００２１】
第８の発明のい草入り消臭器は、第１乃至第７のいずれかの発明において、前記収容容器は、前記筒壁を構成する筒体と、その筒体の端部開口を塞ぐ蓋部とを有しており、前記蓋部には、前記収容容器の内外を連通する蓋開口部が形成されているとともに、その蓋開口部からのい草の抜け落ちを抑制可能な大きさでありかつ通気性を確保可能な大きさである通気孔が形成された通気部によって、前記蓋開口部が塞がれていることを特徴とする。
【００２２】
本発明によれば、筒壁（筒体）に加えて蓋部にも開口部（蓋開口部）が形成されているため、筒壁の各開口部に加えこの蓋開口部を通じて収容容器内に通過空気を通過させることができる。この場合、蓋開口部を通じて収容容器内に出入りする通過空気については収容容器内において軸線方向に沿って流すことが可能となるため、換言すると収容容器内のい草の延びる方向に沿って通過空気を流すことが可能となる。この場合、通過空気をい草の長さ方向の広い範囲に亘って接触させることが可能となるため、い草の消臭作用を高めることが可能となる。また、蓋部には蓋開口部を覆うように通気部が設けられ、その通気部を通して通過空気が収容容器内に出入りすることになるため、蓋開口部を通じてい草が収容容器の外にこぼれ落ちてしまうのを防止しながら、い草の消臭効果を高めることが可能となる。
【図面の簡単な説明】
【００２３】
【図１】（ａ）はい草入り消臭器の平面図、（ｂ）はい草入り消臭器の正面図。
【図２】収容容器を示す分解正面図。
【図３】収容容器を示す分解斜視図。
【図４】い草入り消臭器の作用を説明するための正面図。
【発明を実施するための形態】
【００２４】
以下に、本発明を具体化した一実施の形態について図面を参照しつつ説明する。
【００２５】
図１に示すように、い草入り消臭器１０は、い草１１を内部に収容した筒状の収容容器１２を備える。い草入り消臭器１０は、収容容器１２を縦向きにして、すなわち収容容器１２の軸線方向を上下方向に向けて設置される縦置き式の消臭器となっている。以下の説明では、い草入り消臭器１０の設置状態を基準として説明する。
【００２６】
図１〜図３に示すように、収容容器１２は、円筒状をなす筒部１３と、筒部１３の下端開口を塞ぐ下蓋部１４と、筒部１３の上端開口を塞ぐ上蓋部１５とを備える。筒部１３は、内外二重に設けられた外筒体１７及び内筒体１８を備える。これら各筒体１７，１８はいずれも円筒状に形成されている。また、各筒体１７，１８はいずれも紙により形成されており、詳しくはコートボールやチップボール等の厚紙（板紙）により形成されている。なお、筒部１３が筒壁及び筒体に相当する。
【００２７】
内筒体１８は、その外径が外筒体１７の内径と同じか又はそれよりも若干小さくなっている。内筒体１８は、外筒体１７の内側に挿入されており、その挿入状態において外筒体１７が内筒体１８の外周面に沿って回転可能とされている。
【００２８】
筒部１３の上下方向中間部（詳しくは中央部）には、その内外を連通する一対の開口部２１が形成されている。これら各開口部２１は、筒部１３の軸線を挟んで互いに対向配置されており、筒部１３の周方向（軸線周り方向）に沿って１８０°間隔で並んで配置されている。これら各開口部２１は、いずれも同じ大きさでかつ同じ形状を有して形成されている。
【００２９】
各開口部２１はそれぞれ、外筒体１７に形成された外側開口部２２と、内筒体１８に形成された内側開口部２３とが筒体１７，１８（筒部１３）の厚み方向に重複する重複領域により形成されている。外側開口部２２は、外筒体１７の軸線方向（上下方向）に延びる長円形状をなしており、外筒体１７を厚み方向に貫通している。内側開口部２３は、内筒体１８の軸線方向（上下方向）に延びる長円形状をなしており、内筒体１８を厚み方向に貫通している。
【００３０】
外側開口部２２と内側開口部２３とはいずれも、その開口幅（詳しくは開口部２２，２３の正面視において収容容器１２の軸線方向と直交する方向の長さ）が収容容器１２の幅（詳しくは上記軸線方向と直交する方向の長さである収容容器１２の直径）の半分以上とされている。内側開口部２３は、その開口幅が外側開口部２２よりも大きくなっており、またその開口高さ（詳しくは軸線方向の長さ）が外側開口部２２よりも大きくなっている。つまり、内側開口部２３は、形状は外側開口部２２とほぼ同一であり、その大きさ（面積）が外側開口部２２よりも一回り大きくなっている。内側開口部２３は、開口部２１（換言すると各開口部２２，２３）の正面視において、その周縁部全域が外側開口部２２の外側に位置するように配置されている。これにより、内側開口部２３の周縁部全域は外筒体１７により外側から覆い隠された状態となっている。この場合、内側開口部２３の周縁部が外側開口部２２を介して収容容器１２の外部に露出して見栄えが損なわれてしまうことが抑制されている。
【００３１】
内筒体１８は、上下方向の長さ（軸線方向の長さ）が外筒体１７よりも長くなっており、その上端側及び下端側がそれぞれ外筒体１７からはみ出して設けられている。内筒体１８において下端側のはみ出し部分１８ａには下蓋部１４が取り付けられている。下蓋部１４は、筒体１７，１８と同じ厚紙により形成されており、円板状の底板部２５と、底板部２５の周縁部から上方に立ち上がる円環状の側板部２６とを有する。底板部２５は、内筒体１８の下端開口を塞ぐように設けられ、側板部２６ははみ出し部分１８ａを外周側から囲むように設けられている。側板部２６は、はみ出し部分１８ａの外周面に接着剤により貼り付けられており、それによって下蓋部１４が内筒体１８に固定されている。これにより、内筒体１８に対して外筒体１７を回転させる際には、下蓋部１４を把持して内筒体１８を保持しながら外筒体１７を回転させることができる。また、下蓋部１４の取付状態において、側板部２６の外周面と外筒体１７の外周面とは面一となっている。
【００３２】
はみ出し部分１８ａと側板部２６との間に円環状の補強リング２７（図２において二点鎖線で示す）を介在させてもよい。補強リング２７は、例えば樹脂材料により形成され、はみ出し部分１８ａの外周面に接着剤等で固定される。この場合、補強リング２７の外周側に側板部２６が位置するよう下蓋部１４が取り付けられる。これにより、下蓋部１４周辺の強度を高めることができるため、下蓋部１４を把持して外筒体１７を回転させる際に下蓋部１４周辺に潰れや変形が生じるのを抑制することができる。
【００３３】
内筒体１８において上端側のはみ出し部分１８ｂには上蓋部１５が取り付けられている。上蓋部１５は、はみ出し部分１８ｂに対して取り外し可能とされており、上蓋部１５を取り外すことで収容容器１２内へのい草１１の出し入れが可能となっている。上蓋部１５は、筒体１７，１８（及び下蓋部１４）と同じ厚紙により形成され、円板状の天板部２８と、天板部２８の周縁部から下方に延びる円環状の側板部２９とを有している。天板部２８は内筒体１８の上端開口を塞ぐように設けられ、側板部２９ははみ出し部分１８ｂの外周面を囲むように設けられている。また、側板部２９の外周面は、外筒体１７の外周面と面一とされている。
【００３４】
天板部２８には、その厚み方向に貫通する蓋開口部３１が形成されている。蓋開口部３１は円形状をなしており、天板部２８の中央部に位置している。蓋開口部３１は、上蓋部１５の強度が大きく低下しない程度の大きさで形成されており、例えばその開口径が天板部２８の外径の半分程度となっている。
【００３５】
天板部２８には、その裏面（下面）に蓋開口部３１を塞ぐようにして通気部としての通気性フィルム３３が貼り付けられている。通気性フィルム３３は、樹脂材料からなる多孔質フィルム（例えばメッシュフィルム）である。通気性フィルム３３は、い草１１の蓋開口部３１からの脱落を防止可能であり、かつ優れた通気性能を有している。すなわち、通気性フィルム３３には、い草１１の抜け落ちを抑制可能でありかつ通気性を確保可能な大きさの通気孔が多数形成されている。
【００３６】
続いて、収容容器１２に収容されたい草１１について説明する。
【００３７】
い草１１は、収容容器１２に縦向きの状態、換言すると収容容器１２の軸線方向に延びる向きで多数収容されている。い草１１は、０．５〜１．５ｍ程度の長さのい草（原料）を当該収容容器１２の上下寸法に対応した所定長さにカットすることで形成されている。詳しくは、い草１１は、収容容器１２の上下方向の内寸、すなわち下蓋部１４（底板部２５）の上面と上蓋部１５（天板部２８）の下面との間の離間距離よりも若干短い長さを有しており、収容容器１２内において上下方向のほぼ全域に跨がるように収容されている。この場合、い草１１は、収容容器１２の各開口部２１を上下方向（収容容器１２の軸線方向）に跨いだ状態で収容されており、それらい草１１を挟んで各開口部２１が対向配置されている。
【００３８】
次に、い草入り消臭器１０の作用について説明する。
【００３９】
い草入り消臭器１０は、消臭対象であるトイレや玄関等の部屋に縦向きで設置されて用いられる。い草入り消臭器１０において収容容器１２の筒部１３には、一対の開口部２１が形成されているため、これら各開口部２１のうち一方の開口部２１を通じて収容容器１２内には消臭対象の部屋の空気が取り込まれ、その取り込まれた空気が他方の開口部２１を通じて収容容器１２の外部に排出される。つまり、この場合、収容容器１２内を消臭対象の空気が各開口部２１を通じて通過することになる。また、収容容器１２内には、い草１１が収容容器１２の軸線方向に延びる向きで収容され、その収容容器１２の筒部１３に上記各開口部２１が形成されているため、各開口部２１を通じて収容容器１２内を通過する空気（以下、通過空気という）をい草１１の近くを通して流すことが可能となる。これにより、通過空気をい草１１に触れ易くすることができるため、い草１１による消臭効果を好適に発揮させることができる。
【００４０】
また、本い草入り消臭器１０は、開口部２１の開口面積を調整することが可能となっている。具体的には、収容容器１２の外筒体１７を内筒体１８に対して回転させることで、外筒体１７の外側開口部２２と内筒体１８の内側開口部２３との重複領域（筒部１３の厚み方向に重複する重複領域）の面積を調整することが可能となっている。なお、重複領域が開口部２１に相当する。図４（ａ）では、図１（ｂ）の状態（開口部２１の開口面積が最大の状態）から、外筒体１７を内筒体１８に対して回転させることで、開口部２１（つまり上記重複領域）の面積が図１（ｂ）の状態の約半分の大きさとなっている。
【００４１】
上記のように、開口部２１の開口面積を調整可能としたことで、収容容器１２の外部へ放散されるい草１１の香りの強さ（量）を調整することができる。そのため、ユーザの好みに応じた香りの強さで消臭を行うことが可能となる。また、この場合、外筒体１７を内筒体１８に対して回転させるといった簡単な操作で開口部２１の開口面積を調整することができるため、い草１１の香りの強さを調整するにあたって好都合な構成といえる。
【００４２】
また、本い草入り消臭器１０では、図４（ｂ）に示すように、さらに外筒体１７を内筒体１８に対して回転させることで開口部２１を閉鎖することが可能となっている。この場合、外側開口部２２が内筒体１８により閉鎖された状態となる。これにより、い草１１の香りが苦手な者が訪れてきた場合等には、開口部２１を閉鎖することでい草１１の香りが収容容器１２外部に放散されるのを防止できるため、上記の者に不快感を与えてしまうのを回避することができる。
【００４３】
以上、詳述した本実施形態の構成によれば、以下の優れた効果が得られる。
【００４４】
各開口部２１をそれぞれ、その正面視にて当該開口部２１からい草１１が露出するように形成した。この場合、各開口部２１を通じて収容容器１２を出入りする通過空気は確実にい草１１の近くを流れることになるため、通過空気をい草１１に対してより触れ易くすることができる。これにより、い草１１による消臭効果をより好適に発揮させることができる。
【００４５】
また、い草１１が開口部２１を通じて収容容器１２の外に露出していることから、い草１１の香りによる癒やし効果等に加え、い草１１による視覚的な癒やし効果等も得ることができる。
【００４６】
各開口部２１を、い草１１を挟んで対向配置したため、それら各開口部２１を通じて収容容器１２内を通過する通過空気をより確実にい草１１の近くを通して流すことが可能となる。これにより、通過空気をい草１１に対してより一層触れ易くすることができるため、い草１１による消臭効果をより一層好適に発揮させることができる。
【００４７】
い草１１を、収容容器１２内において各開口部２１を当該容器１２の軸線方向に跨いだ状態で収容したため、い草１１が開口部２１を通じて収容容器１２の外に出てしまうのを抑制しながら、い草１１の消臭効果を好適に発揮させるという上述の効果を得ることができる。
【００４８】
各開口部２１をそれぞれ収容容器１２の軸線方向に延びる長孔形状で形成したため、収容容器１２内における軸線方向の比較的広範囲に亘って通過空気を通過させることができる。ここで、い草１１は収容容器１２内において軸線方向に延びる向きで収容されているため、この場合、通過空気をい草１１の長さ方向の大部分に触れさせることが可能となる。これにより、い草１１による消臭効果を高めることができる。
【００４９】
また、各開口部２１をそれぞれ、その正面視において、収容容器１２の軸線方向と直交する方向の長さ（換言すると開口幅）が収容容器１２の同方向の長さ（換言すると収容容器１２の幅）の半分以上となるように形成した。この場合、収容容器１２内において軸線方向の広範囲に亘って通過空気を通過させることができるのに加え、幅方向の比較的広範囲に亘って通過空気を通過させることができる。これにより、通過空気をい草１１の長さ方向の大部分に触れさせることができるとともに、収容容器１２内で幅方向に並ぶ多数のい草１１に触れさせることができるため、い草１１の消臭効果をより一層高めることができる。
【００５０】
収容容器１２を、筒部１３（外筒体１７及び内筒体１８）と、その筒部１３の上端開口を塞ぐ上蓋部１５とを有して構成し、上蓋部１５には、収容容器１２の内外を連通する蓋開口部３１を形成したため、筒部１３の開口部２１に加えて上蓋部１５の蓋開口部３１を収容容器１２内に通過空気を通過させることができる。この場合、蓋開口部３１を通じて収容容器１２内に出入りする通過空気については収容容器１２内において軸線方向に沿って流すことが可能となり、換言するとい草１１の延びる方向に沿って流すことが可能となる。そのため、通過空気をい草１１の長さ方向の広い範囲に亘って接触させることが可能となり、い草１１の消臭作用を高めることが可能となる。
【００５１】
また、上蓋部１５には、蓋開口部３１を覆うように通気性フィルム３３を貼り付け、その通気性フィルム３３を通じて通過空気を収容容器１２内に出入りさせるようにした。これにより、蓋開口部３１を設けてい草１１の消臭作用を高めながらも、収容容器１２を転倒させてしまった場合等に、蓋開口部３１を通じてい草１１が収容容器１２の外にこぼれ出てしまうのを防止することができる。
【００５２】
収容容器１２を紙により形成した。紙は、い草１１と同様、比較的環境に優しく廃棄がし易い材料であるため、この場合、環境に優しくかつ廃棄し易いい草入り消臭器１０を得ることができる。また、このように、収容容器１２を紙により形成しながらも、筒部１３を二重の筒体１７，１８で構成したため、筒部１３についてある程度の強度を確保することができる。また、各開口部２１を収容容器１２の軸線方向に延びる長孔形状としたため、各開口部を収容容器１２の周方向に延びる長孔形状とする場合と比べ、筒部１３の強度を確保し易い。
【００５３】
本発明は上記実施形態に限らず、例えば次のように実施されてもよい。
【００５４】
（１）上記実施形態では、筒部１３に２つの開口部２１を設けたが、筒部１３に３つ以上の開口部を設けてもよい。この場合も、開口部は周方向に等間隔に形成するとよい。
【００５５】
各開口部２１は必ずしもい草１１を挟んで対向配置（換言すると、周方向において１８０°間隔で配置）する必要はなく、例えば各開口部２１を収容容器１２の軸線方向（上下）にずらすことにより互いに対向しないように配置してもよい。また、各開口部２１を、軸線方向に並べて配置してもよい。
【００５６】
開口部２１の開口幅を収容容器１２の幅の半分より小さくしてもよい。また、開口部２１の形状は、必ずしも収容容器１２の軸線方向に長い長円形状とする必要はなく、軸線方向に長い長方形形状としてもよい。また、開口部２１を、収容容器１２の周方向に長い長孔形状としてもよい。さらに、開口部２１を長孔形状とすることに代えて、丸孔形状や正方形状等の形状としてもよい。
【００５７】
（２）上記実施形態では、外筒体１７を内筒体１８に対して回転させることで、開口部２１の開口面積を調整するようにしたが、開口部２１の開口面積を調整するための構成は必ずしもこれに限らない。例えば、筒部１３の外周面側に、その外周面に沿って上下移動することで開口部２１の開口面積を調整する扉部を設けるようにしてもよい。
【００５８】
（３）上記実施形態では、上蓋部１５に蓋開口部３１を設けるとともに、その蓋開口部３１を覆う通気性フィルム３３を貼り付けたが、通気性フィルム３３を不具備としてもよい。また、蓋開口部３１を設けないようにしてもよい。この場合、下蓋部１４と上蓋部１５とを同一物で構成することができる。
【００５９】
（４）上記実施形態では、筒部１３を内外二重の筒体１７，１８により形成したが、これを変更し、筒部１３を一の筒体により形成してもよい。また、筒部１３は必ずしも円筒状とする必要はなく、四角筒状や六角筒状等、多角筒状としてもよい。
【００６０】
（５）上記実施形態では、収容容器１２（詳しくは筒部１３及び各蓋部１４，１５）を紙により形成したが、樹脂材料や金属材料等、紙以外の材料により形成してもよい。
【００６１】
（６）上記実施形態では、い草入り消臭器１０を縦置き式としたが、収容容器１２が多角形状をなしていれば横置き式とすることも可能である。また、い草入り消臭器１０は、必ずしも棚上等に置かれた状態で設置される必要はなく、例えば壁等に取り付けられた状態で設置されてもよく、天井から紐等を介して吊り下げられた状態で設置されてもよい。
【符号の説明】
【００６２】
１０…い草入り消臭器、１１…い草、１２…収容容器、１３…筒部、１５…蓋部としての上蓋部、１７…外筒体、１８…内筒体、２１…開口部、２２…外側開口部、２３…内側開口部、３１…蓋開口部、３３…通気部としての通気性フィルム。
【図１】
2015134048.tif 000003
【図２】
2015134048.tif 000004
【図３】
2015134048.tif 000005
【図４】
2015134048.tif 000006